(57)【要約】【課題】買い替え前装置の使用環境を買い替え後装置に復元する。【解決手段】買い替え後装置は、買い替え前装置のユーザ設定情報が記録されたリムーバブルメモリを装着して（Ｓ４０３）、そのリムーバブルメモリからユーザ設定情報を取得する（Ｓ４０４）。そして、ユーザ設定情報に含まれるインデックス情報のタイトルと同じタイトルのコンテンツデータがハードディスク装置に記録されていない場合（Ｓ４０６：Ｎｏ）に、ステップＳ４０８で取得したＥＰＧ情報に基づいて、テレビ放送局から前記タイトルに係るコンテンツデータを受信し、ハードディスク装置に記録する（Ｓ４１１）。【選択図】図５
2007325186.tif 000002
【特許請求の範囲】
【請求項１】
コンテンツデータを記録媒体に記録するコンテンツ記録手段と、
前記記録媒体に記録されたコンテンツデータを再生するコンテンツ再生手段と、
前記記録媒体に記録されたコンテンツデータに関するインデックス情報を含むユーザ設定情報を保持する設定情報保持手段と、
前記設定情報保持手段に保持されたユーザ設定情報を記憶装置に書き込む設定情報取り出し手段と、
前記記憶装置から取得したユーザ設定情報を前記設定情報保持手段に書き込む設定情報取り入れ手段と、
前記設定情報取り入れ手段が前記設定情報保持手段に書き込んだユーザ設定情報に含まれるインデックス情報と同等のインデックス情報を保有するコンテンツデータを、当該コンテンツデータを提供するコンテンツ提供元から取得するコンテンツ取得手段とを備えていることを特徴とするコンテンツ記録再生装置。
【請求項２】
前記設定情報保持手段が保持するユーザ設定情報が、ユーザによって設定されたコンテンツデータの予約記録情報を含んでおり、
前記コンテンツ取得手段は、前記設定情報取り入れ手段が前記設定情報保持手段に書き込んだユーザ設定情報に含まれる予約記録情報に係るコンテンツデータのコンテンツ提供元から当該コンテンツデータを取得し、
前記コンテンツ記録手段は、前記コンテンツ取得手段が取得したコンテンツデータを前記記録媒体に記録することを特徴とする請求項１に記載のコンテンツ記録再生装置。
【請求項３】
前記記録媒体を内蔵していることを特徴とする請求項１又は２に記載のコンテンツ記録再生装置。
【請求項４】
前記設定情報保持手段に保持されたユーザ設定情報に含まれるインデックス情報が、コンテンツのタイトル、ジャンル及び出演者のうち少なくともタイトルを有していることを特徴とする請求項１〜３のいずれか１項に記載のコンテンツ記録再生装置。
【請求項５】
前記設定情報保持手段に保持されたユーザ設定情報に含まれるインデックス情報が有するタイトルと同じタイトルのコンテンツデータが前記記録媒体に記録されているか否かを判断する判断手段をさらに備えており、
前記コンテンツ取得手段は、同じタイトルのコンテンツデータが前記記録媒体に記録されていないと前記判断手段が判断した場合にだけ、当該コンテンツデータをそのコンテンツ提供元から取得することを特徴とする請求項４に記載のコンテンツ記録再生装置。
【請求項６】
前記コンテンツ提供元は、コンテンツデータを記録媒体に記録可能な形式で無線又は有線送信すると共に、コンテンツのタイトル及び放送予定日時を特定するＥＰＧ情報を提供するものであって、
前記コンテンツ取得手段は、前記コンテンツ提供元が提供するＥＰＧ情報によって特定された放送予定日時に、当該コンテンツデータをそのコンテンツ提供元から取得することを特徴とする請求項１〜５のいずれか１項に記載のコンテンツ記録再生装置。
【請求項７】
前記記憶装置が、前記コンテンツ記録再生装置に着脱可能な半導体メモリであることを特徴とする請求項１〜６のいずれか１項に記載のコンテンツ記録再生装置。
【請求項８】
前記記憶装置が、ネットワークを介して前記コンテンツ記録再生装置に接続されたサーバ内に設けられていることを特徴とする請求項１〜６のいずれか１項に記載のコンテンツ記録再生装置。
【発明の詳細な説明】
【技術分野】
【０００１】
本発明は、コンテンツデータの記録および再生をすることが可能なコンテンツ記録再生装置に関する。
【背景技術】
【０００２】
近年、テレビ放送局から受信した動画像等のコンテンツデータをハードディスク装置などの大容量記録装置に記録するとともに、記録したコンテンツデータを再生する機能を有するコンテンツ記録再生装置が商品化されている。
【０００３】
このようなコンテンツ記録再生装置の中には、テレビ放送局より送信されたＥＰＧ（Ｅｌｅｃｔｒｉｃ  Ｐｒｏｇｒａｍ  Ｇｕｉｄｅ：電子番組ガイド）情報を利用する機能を有するものもある。ＥＰＧ情報とは、従来から新聞や雑誌などで提供されている番組表と同様の情報を保持する電子情報であり、テレビ放送局より送信されるものである。ＥＰＧ情報を利用可能なコンテンツ記録再生装置では、コンテンツ記録再生装置に接続されているテレビ受像器などのモニタに電子番組表を表示させる。これにより、ユーザは、モニタに表示された電子番組表から録画したいタイトルを選択するなどの操作を行うことで、選択されたタイトルが示すコンテンツの予約録画を行うことができる。予約録画の設定情報を保持したコンテンツ記録再生装置は、当該設定情報に基づいて、テレビ放送局から受信したコンテンツデータをハードディスクなどの記録装置に記録する。上記のように、ＥＰＧ情報を利用すれば、ユーザは所望のコンテンツの予約録画を容易に行うことができる。さらに、ＥＰＧ情報を利用して録画を行った場合には、ＥＰＧ情報に含まれるタイトルやジャンルなどのコンテンツに関連する情報がコンテンツデータと共にコンテンツ記録再生装置に保持されるので、録画後に、そのコンテンツに関連する情報をモニタに表示させることができる。これにより、ユーザは、モニタに表示されたコンテンツのタイトルを指定することで、所望のコンテンツデータを再生することができる。
【０００４】
ところで、前述のようなコンテンツ記録再生装置を所有しているユーザが、買い替えによって、新規にコンテンツ記録再生装置を購入した場合、買い替え前に使用していたコンテンツ記録再生装置と同様の使用環境で、新規のコンテンツ記録再生装置を使用することが困難であるという問題点があった。ここで、使用環境とは、コンテンツ記録再生装置において、ユーザによって設定された予約録画などの予約録画情報およびハードディスク装置などの記録装置に記録されたコンテンツデータなどであって、コンテンツ記録再生装置を使用するユーザによって個々に設定および記録された動作環境である。
【０００５】
そこで、これを解決する技術として、ユーザによって設定された予約録画情報を、ネットワークを介したサーバにバックアップデータとして保管し、買い替え後の装置に当該バックアップデータをサーバから取得させるデジタル放送録画再生装置が開示されている（例えば、特許文献１参照）。したがって、特許文献１のデジタル放送録画再生装置では、買い替え後の装置に買い替え前装置の予約録画情報を保持させることにより、買い替え前装置と同様の予約録画情報を買い替え後の装置に復元させることができる。その結果、買い替え前装置の使用環境と同様の予約録画情報で買い替え後の装置を利用することができる。
【０００６】
【特許文献１】特開２００２−２９０８８４号公報
【発明の開示】
【発明が解決しようとする課題】
【０００７】
しかしながら、上記特許文献１のデジタル放送録画再生装置では、買い替え前の装置に記録されているコンテンツデータを、買い替え後の装置に復元する手段を具備していない。このため、装置内に記録されているコンテンツデータに関しては、買い替え前の装置と買い替え後の装置で同様とならない問題点がある。
【０００８】
また、最近では、ＢＳデジタル放送、地上波デジタル放送などのデジタル放送によって、ユーザサイドにコンテンツが提供されるようになったが、デジタル放送によるコンテンツの大半は、コンテンツ制作サイドの著作権を保護するために、コンテンツデータの記録媒体への記録に関してコピーワンスという制限を設けている。これは、コンテンツ記録再生装置内の大容量記録媒体（例えば、ハードディスク装置）に記録したコンテンツデータを、一度だけ他の記録媒体（例えば、ＤＶＤ−ＲＡＭ、ＤＶＤ−ＲＷなど）に移動することを許可する制限であり、一度、他の記録媒体へ移動したコンテンツデータは、当該大容量記録媒体から削除される。また、一度移動したコンテンツデータは、さらに他の記録媒体へ移動させることができない。したがって、買い替え前のコンテンツ記録再生装置の大容量記録媒体のコンテンツデータをＤＶＤ−ＲＡＭ、ＤＶＤ−ＲＷなどのリムーバブルな記録媒体に一時的に移動した後、そのＤＶＤ−ＲＡＭ、ＤＶＤ−ＲＷなどを介して、買い替え後のコンテンツ記録再生装置の大容量記録媒体へ移動させる場合にも、コピーワンスにより制限される。このため、買い替え前の装置に記録されているコンテンツデータを買い替え後の装置の記録装置に復元することができない。
【０００９】
また、ハードディスクなどの大容量記録媒体を備えたコンテンツ記録再生装置間で、コピーワンス制限されたコンテンツデータを転送可能なコンテンツ記録再生装置が存在するが、その場合においても、コピーワンスの制限がなされたコンテンツデータは装置間の移動のみが許可されており、移動に伴って元のコンテンツ記録再生装置の大容量記録媒体のコンテンツデータは消去される。例えば、２台以上のコンテンツ記録再生装置に対して、買い替え前のコンテンツ記録再生装置の使用環境を復元したい場合でも、買い替え前のコンテンツ記録再生装置の大容量記録媒体のコピーワンスの制限がなされたコンテンツデータは、いずれか１台のコンテンツ記録再生装置にしか移動することができない。このため、２台以上のコンテンツ記録再生装置を買い替え前のコンテンツ記録再生装置と同様の使用環境とすることができないという問題点がある。
【００１０】
この発明は、上記のような課題を解決するためになされたものであり、買い替え前のコンテンツ記録再生装置の使用環境を、買い替え後のコンテンツ記録再生装置に復元することが可能なコンテンツ記録再生装置を提供することを目的とする。
【課題を解決するための手段および発明の効果】
【００１１】
上記目的を達成するために、この発明のコンテンツ記録再生装置は、コンテンツデータを記録媒体に記録するコンテンツ記録手段と、記録媒体に記録されたコンテンツデータを再生するコンテンツ再生手段とを備えている。そして、このコンテンツ記録再生装置は、記録媒体に記録されたコンテンツデータに関するインデックス情報を含むユーザ設定情報を保持する設定情報保持手段と、設定情報保持手段に保持されたユーザ設定情報を記憶装置に書き込む設定情報取り出し手段と、記憶装置から取得したユーザ設定情報を設定情報保持手段に書き込む設定情報取り入れ手段とを備えている。さらに、コンテンツ記録再生装置は、設定情報取り入れ手段が設定情報保持手段に書き込んだユーザ設定情報に含まれるインデックス情報と同等のインデックス情報を保有するコンテンツデータを、当該コンテンツデータを提供するコンテンツ提供元から取得するコンテンツ取得手段とを備えている。
【００１２】
この発明に係る買い替え前のコンテンツ記録再生装置に設けられた設定情報取り出し手段を用いることによって、買い替え前のコンテンツ記録再生装置の設定情報保持手段に記録されたユーザ設定情報を記憶装置に書き込むことができる。これにより、この発明に係る買い替え後のコンテンツ記録再生装置に設けられた設定情報取り入れ手段を用いることによって、前記記憶装置から取得したユーザ設定情報を、台数に関わらず買い替え後の装置の設定情報保持手段に書き込むことができる。つまり、買い替え前のコンテンツ記録再生装置のユーザ設定情報を任意の台数の買い替え後のコンテンツ記録再生装置に移動またはコピーすることができる。その結果、買い替え後のコンテンツ記録再生装置のコンテンツ取得手段が、コンテンツ提供元（例えば、テレビ放送局）から、ユーザ設定情報に含まれるインデックス情報と同等のインデックス情報を保有するコンテンツデータを取得することにより、買い替え前のコンテンツ記録再生装置に記録されていたコンテンツデータやユーザ設定情報を含む使用環境を、買い替え後のコンテンツ記録再生装置に復元することができる。
【００１３】
上記コンテンツ記録再生装置において、好ましくは、設定情報保持手段が保持するユーザ設定情報が、ユーザによって設定されたコンテンツデータの予約記録情報を含んでいる。そして、コンテンツ取得手段は、設定情報取り入れ手段が設定情報保持手段に書き込んだユーザ設定情報に含まれる予約記録情報に係るコンテンツデータのコンテンツ提供元から当該コンテンツデータを取得し、コンテンツ記録手段は、コンテンツ取得手段が取得したコンテンツデータを記録媒体に記録する。このように構成すれば、買い替え前のコンテンツ記録再生装置の設定情報保持手段に記録されていた予約記録情報も、買い替え後のコンテンツ記録再生装置に復元することができる。その結果、買い替え後のコンテンツ記録再生装置において、予約記録情報を設定し直すことなく、予約記録情報に係るコンテンツデータをコンテンツ提供元から取得することができる。
【００１４】
好ましくは、上記コンテンツ記録再生装置は、記録媒体を内蔵している。
【００１５】
上記コンテンツ記録再生装置において、好ましくは、設定情報保持手段に保持されたユーザ設定情報に含まれるインデックス情報が、コンテンツのタイトル、ジャンル及び出演者のうち少なくともタイトルを有している。このように構成すれば、コンテンツ記録再生装置のコンテンツ取得手段は、コンテンツ提供元から、ユーザ設定情報に含まれるインデックス情報のタイトルに基づいて、コンテンツデータを取得することができる。
【００１６】
この場合、好ましくは、設定情報保持手段に保持されたユーザ設定情報に含まれるインデックス情報が有するタイトルと同じタイトルのコンテンツデータが記録媒体に記録されているか否かを判断する判断手段をさらに備えている。そして、コンテンツ取得手段は、同じタイトルのコンテンツデータが記録媒体に記録されていないと判断手段が判断した場合にだけ、当該コンテンツデータをそのコンテンツ提供元から取得する。このように構成すれば、買い替え後のコンテンツ記録再生装置は、記録媒体に記録されていないコンテンツデータだけをコンテンツ提供元から取得することができる。その結果、買い替え後のコンテンツ記録再生装置に同じコンテンツデータが重複して記録されるのを防止することができる。
【００１７】
上記コンテンツ記録再生装置において、好ましくは、コンテンツ提供元は、コンテンツデータを記録媒体に記録可能な形式で無線又は有線送信すると共に、コンテンツのタイトル及び放送予定日時を特定するＥＰＧ情報を提供するものである。そして、コンテンツ取得手段は、コンテンツ提供元が提供するＥＰＧ情報によって特定された放送予定日時に、当該コンテンツデータをそのコンテンツ提供元から取得する。このように構成すれば、買い替え後のコンテンツ記録再生装置は、コンテンツ提供元から提供されるＥＰＧ情報を利用して、復元されていないコンテンツデータを取得することができる。
【００１８】
上記コンテンツ記録再生装置において、好ましくは、記憶装置が、コンテンツ記録再生装置に着脱可能な半導体メモリである。このように構成すれば、買い替え前のコンテンツ記録再生装置に装着された半導体メモリにユーザ設定情報を記憶させた後、その半導体メモリを買い替え後のコンテンツ記録再生装置に装着すれば、容易に、買い替え前のコンテンツ記録再生装置のユーザ設定情報を買い替え後のコンテンツ記録再生装置に復元することができる。
【００１９】
また、上記コンテンツ記録再生装置において、記憶装置が、ネットワークを介してコンテンツ記録再生装置に接続されたサーバ内に設けられていても良い。このように構成すれば、買い替え前のコンテンツ記録再生装置に記録されたユーザ設定情報をネットワークを介してサーバに格納しておけば、買い替え後のコンテンツ記録再生装置は、ネットワークを介してサーバに接続することにより、買い替え前のコンテンツ記録再生装置のユーザ設定情報を取得することができる。その結果、買い替え前のコンテンツ記録再生装置のユーザ設定情報を買い替え後のコンテンツ記録再生装置に復元することができる。
【発明を実施するための最良の形態】
【００２０】
以下、本発明の好適なコンテンツ記録再生装置の実施の形態について、詳細に説明する。
【００２１】
図１は、本発明の一実施形態によるコンテンツ記録再生装置の構成を示すブロック図であり、図２は、図１に示したコンテンツ記録再生装置のユーザ設定情報管理テーブルに格納されているユーザ設定情報の構成を示した図である。
【００２２】
まず、図１を参照して、コンテンツ記録再生装置１の構成について詳細に説明する。本実施形態によるコンテンツ記録再生装置１は、大容量記録装置であるハードディスク装置１３が内蔵されており、テレビ放送局から受信したテレビ番組や映画などのコンテンツデータを記録するとともに、記録されたコンテンツデータを再生することが可能である。このコンテンツ記録再生装置１は、再生したコンテンツデータを表示することが可能なテレビ受像器などのモニタと接続されて使用される。コンテンツ記録再生装置１は、図１に示すように、テレビジョン放送・ＥＰＧ受信部１１、コンテンツデータ出力部１２、ハードディスク装置１３、ユーザ設定情報管理テーブル１４、ユーザ操作部１６およびシステム制御部１７から構成されている。
【００２３】
テレビジョン放送・ＥＰＧ受信部１１は、テレビ放送局から送信された電波よりコンテンツデータを受信し、受信したコンテンツデータをシステム制御部１７へ供給する。さらに、前記電波よりＥＰＧ（Ｅｌｅｃｔｒｉｃ  Ｐｒｏｇｒａｍ  Ｇｕｉｄｅ）情報を受信して、システム制御部１７へ送信する機能も有している。ここで、コンテンツデータとは、映像情報と音声情報から構成されるものとする。また、前記ＥＰＧ情報は各放送局の一定期間の番組表を示すものとし、時間の経過に応じて定期的に更新されるものとする。
【００２４】
コンテンツデータ出力部１２は、システム制御部１７から入力されたコンテンツデータの映像情報を上記したテレビ受像器に表示させるとともに、音声情報をスピーカなどの音声出力装置で再生させる。
【００２５】
ハードディスク装置１３は、テレビジョン放送・ＥＰＧ受信部１１により受信したコンテンツデータを記録するために設けられている。このハードディスク装置１３には、システム制御部１７に制御された磁気ヘッド１３ａによって、テレビジョン放送・ＥＰＧ受信部１１で受信されたコンテンツデータが書き込まれて記録される。また、ハードディスク装置１３に記録されたコンテンツデータは、システム制御部１７に制御された磁気ヘッド１３ａによって読み出されて再生される。そして、読み出されたコンテンツデータは、システム制御部１７を介して、コンテンツデータ出力部１２へ出力されて、テレビ受像器およびスピーカから出力される。
【００２６】
ユーザ設定情報管理テーブル１４は、後述するユーザ設定情報２０（図２参照）を格納する記憶装置である。なお、ユーザ設定情報管理テーブル１４内の情報は、システム制御部１７によって、その内容が参照および更新される。
【００２７】
ここで、本実施形態のコンテンツ記録再生装置１に取り付けられて使用されるリムーバブルメモリ１５について説明する。リムーバブルメモリ１５は、コンテンツ記録再生装置１に対して着脱可能な半導体メモリであり、後述するユーザ設定情報２０（図２参照）をコンテンツ記録再生装置間で移動させる機能を有している。リムーバブルメモリ１５には、システム制御部１７により、後述するユーザ設定情報管理テーブル１４内のユーザ設定情報２０（図２参照）のコピーが記録される。また、リムーバブルメモリ１５に記録されたユーザ設定情報２０は、システム制御部１７により、読み出すことが可能である。そのため、買い替えにより新規にコンテンツ記録再生装置１（以後、買い替え後装置と記載する）を購入した場合、従前に使用していたコンテンツ記録再生装置１（以後、買い替え前装置と記載する）のユーザ設定情報２０をリムーバブルメモリ１５に記録しておき、買い替え後装置で、当該リムーバブルメモリ１５からユーザ設定情報２０を読み出せば、買い替え前装置と買い替え後装置との間でユーザ設定情報を移動させることができる。
【００２８】
ユーザ操作部１６は、コンテンツ記録再生装置１の遠隔操作を行うリモコンやコンテンツ記録再生装置１に設けられる各種のボタンなどであり、ユーザにより入力された操作に対応する信号がシステム制御部１７に転送される。そして、ユーザは、ユーザ操作部１６を操作することにより、ハードディスク装置１３に格納されたコンテンツデータの再生や所望のコンテンツの予約録画を行うことができる。
【００２９】
システム制御部１７は、上記した各ブロックの動作および各ブロック間のデータの入出力の制御を統括する。ここで、本実施形態では、システム制御部１７は、ユーザ設定情報管理テーブル１４に格納されるユーザ設定情報２０（図２参照）を、コンテンツ記録再生装置１に装着されたリムーバブルメモリ１５に書き込む機能を有している。さらに、システム制御部１７は、装着されたリムーバブルメモリ１５に格納されるユーザ設定情報２０を読み出して、一時的に記憶する機能も有している。さらに、システム制御部１７は、一時的に格納しているユーザ設定情報２０の予約記録情報２１を、ユーザ設定情報管理テーブル１４に記録する機能を有している。なお、買い替え前装置の予約記録情報２１を、買い替え後装置の予約記録情報２１に追記する場合には、買い替え前装置の予約記録情報２１のタイトルと買い替え後装置の予約記録情報２１のタイトルとを比較して、買い替え後装置の予約記録情報２１に未登録の予約記録情報２１だけを追記する。これにより、同じ予約記録情報２１が重複して記録されるのを防止している。
【００３０】
上記したユーザ設定情報管理テーブル１４に格納されるユーザ設定情報２０の録画予約情報は、テレビ放送局が提供するＥＰＧ情報によって放送予定日時などが特定される。システム制御部１７は、ＥＰＧ情報によって特定された放送予定日時に、テレビジョン放送・ＥＰＧ受信部１１やハードディスク装置１３を制御して、コンテンツデータを受信して記録する。
【００３１】
また、本実施形態では、システム制御部１７は、ユーザ設定情報管理テーブル１４に格納されるユーザ設定情報２０のインデックス情報２２が有するタイトルと、システム制御部１７に一時的に格納されたユーザ設定情報２０のインデックス情報２２が有するタイトルとを比較している。そして、ハードディスク装置１３に、一時的に格納されたユーザ設定情報２０のインデックス情報２２のタイトルと同じタイトルのコンテンツデータが記録されているか否かを判断している。そして、システム制御部１７は、一時的に格納したユーザ設定情報２０のインデックス情報２２のタイトルと同じタイトルのコンテンツデータがハードディスク装置１３に無い場合にだけ、当該タイトルを買い替え後装置の予約記録情報２１を追記する。これにより、買い替え後装置に重複して同じコンテンツデータが記録されるのを防止することができる。
【００３２】
次に、図２を参照して、ユーザ設定情報管理テーブル１４に格納されているユーザ設定情報２０の構成について詳細に説明する。このユーザ設定情報２０は、予約記録情報２１およびインデックス情報２２から構成されている。
【００３３】
予約記録情報２１は、ｍ個（ｍは整数）の予約録画されたコンテンツのタイトル（図中では、予約録画タイトル）から構成されている。リモコンによる操作や、電子番組表での選択、Ｇコードの入力により新たに予約録画が追加された場合には、この予約記録情報２１に当該予約録画に係るコンテンツのタイトルが追加される。また、コンテンツ記録再生装置１にユーザ設定情報２０が格納されたリムーバブルメモリ１５が装着されて、システム制御部１７がそのリムーバブルメモリ１５からユーザ設定情報２０を読み出して、予約記録情報２１をユーザ設定情報管理テーブル１４に追記した場合には、予約記録情報２１に、リムーバブルメモリ１５の予約記録情報２１のタイトルが追記される。また、ユーザ設定情報管理テーブル１４に記録される予約記録情報２１に従って録画処理が実行されることによってコンテンツデータがハードディスク装置１３に記録された場合には、予約記録情報２１から、当該コンテンツデータに係るタイトルが削除される。
【００３４】
インデックス情報２２は、ハードディスク装置１３に記録されているｎ個（ｎは整数）のコンテンツデータのタイトル（図中では、コンテンツタイトル）から構成される。ハードディスク装置１３に新規のコンテンツデータが記録された場合には、新規のコンテンツデータに係るタイトルがインデックス情報２２に追加され、ハードディスク装置１３からコンテンツデータが削除された場合には、削除されたコンテンツデータに係るタイトルがインデックス情報２２から削除される。
【００３５】
次に、図３を参照して、テレビ放送局から受信したＥＰＧ情報から生成された電子番組表について詳細に説明する。なお、テレビ放送局は、コンテンツデータをハードディスク装置１３に記録可能な形式で有線又は無線送信すると共に、後述する電子番組表を生成するためのＥＰＧ情報を提供している。図３は、テレビジョン放送・ＥＰＧ受信部で受信したＥＰＧ情報から生成された電子番組表を示した図である。なお、図３に示した電子番組表では、放送局Ｈ１、Ｈ２、およびＨ３のそれぞれについての放送開始時間の３月１５日１７時から３月１５日２０時までの放送番組が表示されている。そして、放送局Ｈ１では、ニュースＮ１、ニュースＮ２、ニュースＮ３、放送局Ｈ２では、映画Ｅ１、映画Ｅ２、映画Ｅ３、放送局Ｈ３では、ドラマＤ１、ドラマＤ２、ドラマＤ３が順次放送予定である。そして、ユーザが、リモコンなどのユーザ操作部１６を操作することにより、図３に示された電子番組表から所望のコンテンツを選択し、当該コンテンツの予約録画を行うことが可能となる。
【００３６】
例えば、図３の電子番組表を用いて放送局Ｈ１のニュースＮ１の予約録画をする場合には、まず、ユーザ操作部１６を用いて電子番組表の中からニュースＮ１を選択することにより、ユーザ設定情報管理テーブル１４の予約記録情報２１にタイトルとして、「ニュースＮ１」が追加される。その後、ニュースＮ１の放送開始時刻である「３月１５日  １７：００」になった時点で、システム制御部１７は、テレビジョン放送・ＥＰＧ受信部１１を制御することにより、ニュースＮ１のコンテンツデータを受信し、磁気ヘッド１３ａを制御することにより、当該ニュースＮ１のコンテンツデータをハードディスク装置１３に記録し始める。そして、ニュースＮ１の放送終了時刻である「３月１５日  １８：００」になった時点で、ハードディスク装置１３へのコンテンツデータの記録が終了する。最後に、システム制御部１７は、ユーザ設定情報管理テーブル１４のインデックス情報２２に、記録済みのコンテンツデータのタイトル「ニュースＮ１」をユーザ設定情報管理テーブル１４のインデックス情報２２に追加するとともに、予約記録情報２１のタイトル「ニュースＮ１」を削除する。
【００３７】
上記のように構成された本実施形態によるコンテンツ記録再生装置１を用いて、買い替え前装置の使用環境を買い替え後装置に復元する手順について、図４および図５のフローチャートを参照して説明する。図４および図５は、買い替え前装置の使用環境を買い替え後装置に復元する手順を示したフローチャートである。
【００３８】
まず、図４に示すように、買い替え前装置において、システム制御部１７により、ユーザ設定情報管理テーブル１４のユーザ設定情報２０がリムーバブルメモリ１５に記録される（ステップＳ４０１）。その後、ユーザは、買い替え前装置からリムーバブルメモリ１５を取り外す（ステップＳ４０２）。
【００３９】
次に、買い替え後装置では、図５に示すように、ユーザにより、買い替え前装置から取り外されたリムーバブルメモリ１５が取り付けられる（ステップＳ４０３）。そして、システム制御部１７は、取り付けられたリムーバブルメモリ１５から買い替え前装置のユーザ設定情報２０を取得し、そのユーザ設定情報２０を一時的に格納する（ステップＳ４０４）。次に、システム制御部１７は、一時的に格納する買い替え前装置のユーザ設定情報２０の内の予約記録情報２１を、買い替え後装置のユーザ設定情報管理テーブル１４の予約記録情報２１に追記する（ステップＳ４０５）。なお、買い替え後装置に既に予約記録情報２１が書き込まれている場合に、その書き込まれた予約記録情報２１のタイトルと追記する予約記録情報２１とが同じならば、当該タイトルに係る予約記録情報２１は追記されない。
【００４０】
続いて、システム制御部１７は、一時的に格納した買い替え前装置のユーザ設定情報２０のインデックス情報２２に登録されているタイトルと同じタイトルのコンテンツデータがハードディスク装置１３に記録されているか否かを判断する（ステップＳ４０６）。具体的には、一時的に格納した買い替え前装置のユーザ設定情報２０のインデックス情報２２に登録されているタイトルと、買い替え後装置のユーザ設定情報管理テーブル１４のインデックス情報２２に登録されているタイトルとを比較する。そして、買い替え前装置のユーザ設定情報２０のインデックス情報２２に登録されているタイトルの全てが、買い替え後装置のインデックス情報２２に登録されている場合には、買い替え前装置のユーザ設定情報２０のインデックス情報２２に登録されているタイトルに係る全てのコンテンツデータが、買い替え後装置のハードディスク装置１３に記録されていると判断される。また、買い替え前装置のユーザ設定情報２０のインデックス情報２２に登録されているタイトルが、１つでも、買い替え後装置のインデックス情報２２に登録されていない場合には、買い替え前装置のユーザ設定情報２０のインデックス情報２２に登録されている所定のタイトルに係るコンテンツデータが、買い替え後装置のハードディスク装置１３に記録されていないと判断される。
【００４１】
そして、買い替え前装置のユーザ設定情報２０のインデックス情報２２に登録されているタイトルに係る全てのコンテンツデータが、買い替え後装置のハードディスク装置１３に記録されている場合（ステップＳ４０６：Ｙｅｓ）には、本実施形態の復元手順を完了する。
【００４２】
これに対して、買い替え前装置のユーザ設定情報２０のインデックス情報２２に登録されている所定のタイトルに係るコンテンツデータが、買い替え後装置のハードディスク装置１３に記録されていない場合（ステップＳ４０６：Ｎｏ）には、ステップＳ４０７において、システム制御部１７は、ユーザ設定情報管理テーブル１４のユーザ設定情報２０のインデックス情報２２に登録されていないタイトルを、買い替え後装置のユーザ設定情報２０の予約記録情報２１に登録する。
【００４３】
次に、買い替え後装置では、システム制御部１７によりテレビジョン放送・ＥＰＧ受信部１１が制御されることによって、最新のＥＰＧ情報が取得される（ステップＳ４０８）。そして、システム制御部１７は、受信したＥＰＧ情報に、予約記録情報２１に登録したタイトルが含まれていないかをチェックする（ステップＳ４０９）。受信したＥＰＧ情報に予約記録情報２１に登録したタイトルが無かった場合（ステップＳ４０９：Ｎｏ）には、ＥＰＧ情報が更新されるまで待機する（ステップＳ４１０）。その後、最新のＥＰＧ情報を取得するステップＳ４０８に処理を戻す。
【００４４】
また、受信したＥＰＧ情報に、予約記録情報２１に登録したタイトルがある場合（ステップＳ４０９：Ｙｅｓ）には、そのタイトルに係るコンテンツデータが放送される時間まで待機した後、コンテンツデータを受信して、ハードディスク装置１３に記録する（ステップＳ４１１）。この後、ハードディスク装置１３へ記録されたコンテンツデータに係るタイトルは、買い替え後装置のユーザ設定情報管理テーブル１４の予約記録情報２１から削除される。
【００４５】
次に、買い替え後装置のユーザ設定情報管理テーブル１４の予約記録情報２１において、ステップＳ４０７で登録されたタイトルが無くなったか否かが判断される（ステップＳ４１２）。そして、追記したタイトルが無くなった場合（ステップＳ４１２：Ｙｅｓ）には、買い替え前装置のハードディスク装置１３に記録されていたコンテンツデータが買い替え後装置のハードディスク装置１３に復元されたことを意味するので、復元処理を完了する。これに対して、予約記録情報２１に追記したタイトルが残っている場合（ステップＳ４１２：Ｎｏ）には、上記したステップＳ４０８〜ステップＳ４１２の処理を繰り返して、買い替え前装置のハードディスク装置１３に記録されていたコンテンツデータを買い替え後装置のハードディスク装置１３に復元する処理を行う。
【００４６】
本実施形態では、上記のように、買い替え前装置のユーザ設定情報２０の予約記録情報２１を、リムーバブルメモリ１５を介して、買い替え後装置のユーザ設定情報管理テーブル１４の予約記録情報２１に追記する（ステップＳ４０５）ことによって、買い替え前装置の予約記録情報２１を買い替え後装置に復元することができる。また、買い替え前装置のユーザ設定情報２０のインデックス情報２２を、リムーバブルメモリ１５を介して、買い替え後装置のユーザ設定情報管理テーブル１４の予約記録情報２１に追記する（ステップＳ４０７）ことによって、テレビ放送局から追記した予約記録情報２１に係るコンテンツデータを取得することができるので、買い替え前装置のハードディスク装置１３に記録されていたコンテンツデータを買い替え後装置のハードディスク装置１３に復元することができる。その結果、買い替え前装置に記録されていたコンテンツデータやユーザ設定情報を含む使用環境を、買い替え後装置に復元することができ、利便性を向上することができる。
【００４７】
また、本実施形態では、システム制御部１７に一時的に格納されたユーザ設定情報２０のインデックス情報２２のタイトルの中から、ユーザ設定情報管理テーブル１４のユーザ設定情報２０のインデックス情報２２に登録されていないタイトルを、買い替え後装置のユーザ設定情報２０の予約記録情報２１に登録することによって、ハードディスク装置１３に記録されていないコンテンツデータだけテレビ放送局から取得することができる。その結果、買い替え後装置に同じコンテンツデータが重複して記録されるのを防止することができる。
【００４８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４９】
例えば、上記実施形態では、買い替え前装置の使用環境を１台の買い替え後装置に復元する例について説明したが、本発明はこれに限らず、買い替え前装置の使用環境を２台以上の買い替え後装置に復元することも可能である。
【００５０】
また、上記実施形態のコンテンツ記録再生装置では、コンテンツデータを記録する記録装置として、ハードディスク装置を用いる例について説明したが、本発明はこれに限らず、ＤＶＤなどの光ディスク、光磁気ディスクなどコンテンツデータの記録および再生が可能であれば如何なる装置を使用しても良い。
【００５１】
また、上記実施形態では、インデックス情報としてタイトルを使用したが、本発明はこれに限らず、出演者やジャンル、再生時間などコンテンツを特定できる情報であれば如何なる情報を使用しても良い。
【００５２】
また、上記実施形態では、買い替え前装置と買い替え後装置とのユーザ設定情報の受け渡しに、着脱可能なリムーバブルメモリを用いたが、本発明はこれに限らず、ユーザ設定情報の受け渡しが可能であれば、いかなる方法および媒体を使用してもよい。例えば、図６に示した変形例のように、コンテンツ記録再生装置１００にネットワークを介してサーバ１１５を接続するように構成しても良い。このように構成すれば、買い替え前装置に記録されたユーザ設定情報２０をネットワークを介してサーバ１１５に格納しておけば、買い替え後装置は、ネットワークを介してサーバ１１５に接続することにより、買い替え前装置のユーザ設定情報２０を取得することができる。
【００５３】
また、買い替え前装置と買い替え後装置とを有線または無線通信手段を用いて接続することにより、買い替え前装置のユーザ設定情報を買い替え後装置に送信しても良い。
【００５４】
また、上記実施形態では、半導体メモリからなるリムーバブルメモリを用いる例を示したが、本発明はこれに限らず、光ディスクや磁気ディスクを用いても良い。
【００５５】
また、上記実施形態では、ユーザの使用環境として、予約記録情報とインデックス情報から構成されるユーザ設定情報を対象にしているが、使用環境を成す情報としては、これに限定されるわけでない。例えば、ユーザの好みのジャンルや番組などを示すユーザの嗜好情報や、コンテンツ記録再生装置を使用している地域情報などをユーザ設定情報に含めても良い。
【図面の簡単な説明】
【００５６】
【図１】本発明の一実施形態によるコンテンツ記録再生装置の構成を示すブロック図である。
【図２】図１に示したコンテンツ記録再生装置のユーザ設定情報管理テーブルに格納されているユーザ設定情報の構成を示した図である。
【図３】テレビジョン放送・ＥＰＧ受信部で受信したＥＰＧ情報から生成された電子番組表を示した図である。
【図４】買い替え前装置の使用環境を買い替え後装置に復元する手順を示したフローチャートである。
【図５】買い替え前装置の使用環境を買い替え後装置に復元する手順を示したフローチャートである。
【図６】図１に示した一実施形態の変形例によるコンテンツ記録再生装置の構成を示すブロック図である。
【符号の説明】
【００５７】
１、１００  コンテンツ記録再生装置
１１  テレビジョン放送・ＥＰＧ受信部（コンテンツ取得手段）
１３  ハードディスク装置（記録媒体）
１４  ユーザ設定情報管理テーブル（設定情報保持手段）
１３ａ  磁気ヘッド（コンテンツ記録手段、コンテンツ再生手段）
１５  リムーバブルメモリ（記録装置）
１７  システム制御部（設定情報取り出し手段、設定情報取り入れ手段）
１１５  サーバ（記録装置）
【図１】
2007325186.tif 000003
【図２】
2007325186.tif 000004
【図３】
2007325186.tif 000005
【図４】
2007325186.tif 000006
【図５】
2007325186.tif 000007
【図６】
2007325186.tif 000008